(57)【特許請求の範囲】
【請求項１】
正面視で、財物箱を含み、前記財物箱の上端面には上方に開口した頂部チャンバが設置され、前記頂部チャンバ内には定位機構が設置され、前記定位機構は発信器を含み、前記発信器の上側にはソーラーパネルが固定的に装着され、前記ソーラーパネルは太陽エネルギーを吸収して前記発信器に電気を提供でき、前記発信器は位置情報を発送でき、
前記財物箱内には空気充填チャンバが左右対称に設置され、前記空気充填チャンバ内には漂浮機構が設置され、前記漂浮機構は前記空気充填チャンバの上端壁と固定的に連結された頂部ブロックを含み、前記頂部ブロック内には下方に開口した貯液チャンバが設置され、前記貯液チャンバ内には移動板がスライド可能に設置され、前記移動板の上側にある前記貯液チャンバ内には重炭酸ナトリウム飽和溶液が設置され、前記空気充填チャンバの下端壁には硫酸バンドブロックが置いてあり、前記移動板の下側には回転可能な弓面ブロックが設置され、前記弓面ブロックの外側には折り畳んだプラスチック膜が設置され、前記弓面ブロックが回転する時に、前記移動板を降下連動させられ、それにより、前記貯液チャンバ内の重炭酸ナトリウム飽和溶液と硫酸バンドブロックとが反応し、大量の二酸化炭素を生み、プラスチック膜を膨らませ、装置の浮力を増大させ、
前記漂浮機構の下側には駆動機構が設置され、前記駆動機構は前記弓面ブロックの回転を制御できることを特徴とする漂浮型汽船用財物安全保障システム。
【請求項２】
前記定位機構は空心ブロックも含み、前記空心ブロックの上端は前記頂部チャンバの上端壁を貫通し、且つ外部に位置し、前記空心ブロックにはロープが巻装され、前記ロープと前記頂部チャンバの左端壁とは固定的に連結され、前記空心ブロックには円板が固定的に設置され、前記空心ブロック内には曲面チャンバが設置され、前記曲面チャンバの下端壁にはカウンターウエイトブロックが固定的に設置され、前記カウンターウエイトブロックの上端面には前記発信器が固定的に設置され、前記空心ブロックには第一支持棒が左右対称に、且つ固定的に設置され、二本の前記第一支持棒の上端には前記ソーラーパネルが一つ固定的に設置され、前記ソーラーパネルと前記発信器とは電線によって連通されていることを特徴とする請求項１に記載の漂浮型汽船用財物安全保障システム。
【請求項３】
前記漂浮機構について詳しく説明し、前記漂浮機構は前記貯液チャンバの上端壁と固定的に連結された移動ばねを含み、前記移動ばねの下端と前記移動板とは固定的に連結され、前記移動板の下端面には垂直棒が固定的に設置され、前記貯液チャンバの外側端壁には前記空気充填チャンバを連通した排水孔が形成され、前記弓面ブロックには回転ブロックが固定的に設置され、前記空気充填チャンバの内側端壁には妨害ブロックが固定的に設置され、前記空気充填チャンバの外側端壁は置きチャンバによって外部と連通し、前記置きチャンバ内には前記プラスチック膜が装着され、前記置きチャンバの後端壁には短棒が固定的に設置され、前記短棒にはスイッチ板が回転可能に設置され、前記短棒と前記スイッチ板との間には第一捻りばねが設置され、前記スイッチ板は前記プラスチック膜の外側に位置することを特徴とする請求項２に記載の漂浮型汽船用財物安全保障システム。
【請求項４】
前記置きチャンバの上端壁内には方形チャンバが設置され、前記方形チャンバの後端壁には中心軸が回転可能に設置され、前記中心軸には第一リールと第二リールが固定的に設置され、前記第二リールは前記第一リールの前側に位置し、前記第一リールと前記スイッチ板とは第一細線によって連結され、前記方形チャンバのうち前記頂部チャンバに近接した端壁内には弾性溝が形成され、前記弾性溝の開口は前記頂部チャンバに向き、前記弾性溝のうち前記頂部チャンバから離れた端壁には弾性ばねが固定的に設置され、前記弾性ばねのうち前記頂部チャンバに近接した一端には前記弾性溝とスライド可能に連結された弾性ブロックが固定的に設置され、前記弾性ブロックと前記第二リールとは第二細線によって連結され、前記弾性ブロックは前記円板の上側に位置することを特徴とする請求項３に記載の漂浮型汽船用財物安全保障システム。
【請求項５】
前記財物箱内には収納チャンバが設置され、前記収納チャンバは財物を収納でき、前記駆動機構は前記空気充填チャンバの下端壁内に位置する水流チャンバを含み、前記水流チャンバのうち前記収納チャンバから離れた端壁は排水チャンバによって外部と連通し、前記水流チャンバの下端壁には横向きチャンバが設置され、前記横向きチャンバの下端壁は吸入チャンバによって外部と連通し、前記横向きチャンバの下端壁には上端が前記空気充填チャンバ内に位置する長軸が回転可能に設置され、前記長軸の上端と前記弓面ブロックと固定的に連結され、前記水流チャンバ内の前記長軸にはターボが固定的に設置され、前記横向きチャンバの後端壁には第二支持棒が固定的に設置され、前記第二支持棒には密封板が回転可能に設置され、前記第二支持棒と前記密封板との間には第二捻りばねが設置されていることを特徴とする請求項１に記載の漂浮型汽船用財物安全保障システム。
【請求項６】
前記カウンターウエイトブロックは質量が大きいため、前記定位機構の重心は低いことを特徴とする請求項２に記載の漂浮型汽船用財物安全保障システム。
【請求項７】
前記移動ばねは圧縮状態にあり、前記弾性ばねは正常状態にあることを特徴とする請求項４に記載の漂浮型汽船用財物安全保障システム。
【請求項８】
水流が前記ターボを通り抜ける時に、前記ターボは駆動されて回転することを特徴とする請求項５に記載の漂浮型汽船用財物安全保障システム。
【発明の詳細な説明】
【技術分野】
【０００１】
本発明は財物保護分野を取り上げ、具体的には漂浮型汽船用財物安全保障システムである。
【背景技術】
【０００２】
海上で汽船が事故に遭う時、よく救命艇のスペースが足りないせいで、持参した財物を捨てねばならなくなり、そして捨てられた財物は汽船とともに海底に沈み、もし後ほど海底に潜って財物を引き揚げようとすれば、莫大な人力と財力がかかる。
【先行技術文献】
【特許文献】
【０００３】
【特許文献１】中国特許出願公開第１０８９７８６０５号明細書
【発明の概要】
【発明が解決しようとする課題】
【０００４】
本発明は漂浮型汽船用財物安全保障システムを提供し、海上で汽船が事故に遭う時に、財物を持ち運べないという欠点を解消することを目的とする。
【課題を解決するための手段】
【０００５】
本発明は以下の技術プランによって実現される。
【０００６】
本発明の漂浮型汽船用財物安全保障システムは、財物箱を含み、前記財物箱の上端面には上方に開口した頂部チャンバが設置され、前記頂部チャンバ内には定位機構が設置され、前記定位機構は発信器を含み、前記発信器の上側にはソーラーパネルが固定的に装着され、前記ソーラーパネルは太陽エネルギーを吸収して前記発信器に電気を提供でき、前記発信器は位置情報を発送でき、
前記財物箱内には空気充填チャンバが左右対称に設置され、前記空気充填チャンバ内には漂浮機構が設置され、前記漂浮機構は前記空気充填チャンバの上端壁と固定的に連結された頂部ブロックを含み、前記頂部ブロック内には下方に開口した貯液チャンバが設置され、前記貯液チャンバ内には移動板がスライド可能に設置され、前記移動板の上側にある前記貯液チャンバ内には重炭酸ナトリウム飽和溶液が設置され、前記空気充填チャンバの下端壁には硫酸バンドブロックが置いてあり、前記移動板の下側には回転可能な弓面ブロックが設置され、前記弓面ブロックの外側には折り畳んだプラスチック膜が設置され、前記弓面ブロックが回転する時に、前記移動板を降下連動させられ、それにより、前記貯液チャンバ内の重炭酸ナトリウム飽和溶液と硫酸バンドブロックとが反応し、大量の二酸化炭素を生み、プラスチック膜を膨らませ、装置の浮力を増大させ、
前記漂浮機構の下側には駆動機構が設置され、前記駆動機構は前記弓面ブロックの回転を制御できる。
【０００７】
好ましくは、前記定位機構は空心ブロックも含み、前記空心ブロックの上端は前記頂部チャンバの上端壁を貫通し、且つ外部に位置し、前記空心ブロックにはロープが巻装され、前記ロープと前記頂部チャンバの左端壁とは固定的に連結され、前記空心ブロックには円板が固定的に設置され、前記空心ブロック内には曲面チャンバが設置され、前記曲面チャンバの下端壁にはカウンターウエイトブロックが固定的に設置され、前記カウンターウエイトブロックの上端面には前記発信器が固定的に設置され、前記空心ブロックには第一支持棒が左右対称に、且つ固定的に設置され、二本の前記第一支持棒の上端には前記ソーラーパネルが一つ固定的に設置され、前記ソーラーパネルと前記発信器とは電線によって連通されている。
【０００８】
好ましくは、前記漂浮機構は前記貯液チャンバの上端壁と固定的に連結された移動ばねを含み、前記移動ばねの下端と前記移動板とは固定的に連結され、前記移動板の下端面には垂直棒が固定的に設置され、前記貯液チャンバの外側端壁には前記空気充填チャンバを連通した排水孔が形成され、前記弓面ブロックには回転ブロックが固定的に設置され、前記空気充填チャンバの内側端壁には妨害ブロックが固定的に設置され、前記空気充填チャンバの外側端壁は置きチャンバによって外部と連通し、前記置きチャンバ内には前記プラスチック膜が装着され、前記置きチャンバの後端壁には短棒が固定的に設置され、前記短棒にはスイッチ板が回転可能に設置され、前記短棒と前記スイッチ板との間には第一捻りばねが設置され、前記スイッチ板は前記プラスチック膜の外側に位置する。
【０００９】
好ましくは、前記置きチャンバの上端壁内には方形チャンバが設置され、前記方形チャンバの後端壁には中心軸が回転可能に設置され、前記中心軸には第一リールと第二リールが固定的に設置され、前記第二リールは前記第一リールの前側に位置し、前記第一リールと前記スイッチ板とは第一細線によって連結され、前記方形チャンバのうち前記頂部チャンバに近接した端壁内には弾性溝が形成され、前記弾性溝の開口は前記頂部チャンバに向き、前記弾性溝のうち前記頂部チャンバから離れた端壁には弾性ばねが固定的に設置され、前記弾性ばねのうち前記頂部チャンバに近接した一端には前記弾性溝とスライド可能に連結された弾性ブロックが固定的に設置され、前記弾性ブロックと前記第二リールとは第二細線によって連結され、前記弾性ブロックは前記円板の上側に位置する。
【００１０】
好ましくは、前記財物箱内には収納チャンバが設置され、前記収納チャンバは財物を収納でき、前記駆動機構は前記空気充填チャンバの下端壁内に位置する水流チャンバを含み、前記水流チャンバのうち前記収納チャンバから離れた端壁は排水チャンバによって外部と連通し、前記水流チャンバの下端壁には横向きチャンバが設置され、前記横向きチャンバの下端壁は吸入チャンバによって外部と連通し、前記横向きチャンバの下端壁には上端が前記空気充填チャンバ内に位置する長軸が回転可能に設置され、前記長軸の上端と前記弓面ブロックと固定的に連結され、前記水流チャンバ内の前記長軸にはターボが固定的に設置され、前記横向きチャンバの後端壁には第二支持棒が固定的に設置され、前記第二支持棒には密封板が回転可能に設置され、前記第二支持棒と前記密封板との間には第二捻りばねが設置されている。
【００１１】
好ましくは、前記カウンターウエイトブロックは質量が大きいため、前記定位機構の重心は低い。
【００１２】
好ましくは、前記移動ばねは圧縮状態にあり、前記弾性ばねは正常状態にある。
【００１３】
好ましくは、水流が前記ターボを通り抜ける時に、前記ターボは駆動されて回転する。
【発明の効果】
【００１４】
本発明は以下のプラス効果を有する：本装置は汽船内に置き、財物を収納でき、汽船が事故に遭い、沈没しそうな時に、もし財物の持ち運びが不便であれば、装置を海に投げれば良いのであり、装置は自動的に浮上し、且つ海面に漂い、装置内にはさらに発信器が設けられ、照明さえあれば自動的に作動し、後期に財物の捜索に便利であり、利用者が被る損失を減らせる。
【図面の簡単な説明】
【００１５】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の漂浮型汽船用財物安全保障システムの全体断面の正面構成略図
【図２】図２は図１におけるＡの拡大略図
【図３】図３は図１におけるＢの拡大略図
【図４】図４は図２におけるＣ―Ｃ方向からの略図
【発明を実施するための形態】
【００１７】
附図１〜４に記載された漂浮型汽船用財物安全保障システムの機械構造略図によると、本発明は財物箱１０を含み、前記財物箱１０の上端面には上方に開口した頂部チャンバ２３が設置され、前記頂部チャンバ２３内には定位機構７０が設置され、前記定位機構７０は発信器１７を含み、前記発信器１７の上側にはソーラーパネル１９が固定的に装着され、前記ソーラーパネル１９は太陽エネルギーを吸収して前記発信器１７に電気を提供でき、前記発信器１７は位置情報を発送でき、
前記財物箱１０内には空気充填チャンバ２８が左右対称に設置され、前記空気充填チャンバ２８内には漂浮機構７１が設置され、前記漂浮機構７１は前記空気充填チャンバ２８の上端壁と固定的に連結された頂部ブロック４９を含み、前記頂部ブロック４９内には下方に開口した貯液チャンバ４７が設置され、前記貯液チャンバ４７内には移動板４６がスライド可能に設置され、前記移動板４６の上側にある前記貯液チャンバ４７内には重炭酸ナトリウム飽和溶液が設置され、前記空気充填チャンバ２８の下端壁には硫酸バンドブロック２９が置いてあり、前記移動板４６の下側には回転可能な弓面ブロック４４が設置され、前記弓面ブロック４４の外側には折り畳んだプラスチック膜５４が設置され、前記弓面ブロック４４が回転する時に、前記移動板４６を降下連動させられ、それにより、前記貯液チャンバ４７内の重炭酸ナトリウム飽和溶液と硫酸バンドブロック２９とが反応し、大量の二酸化炭素を生み、プラスチック膜５４を膨らませ、装置の浮力を増大させ、
前記漂浮機構７１の下側には駆動機構７２が設置され、前記駆動機構７２は前記弓面ブロック４４の回転を制御できる。
【００１８】
さらに、前記定位機構７０について詳しく説明し、前記定位機構７０は空心ブロック２２も含み、前記空心ブロック２２の上端は前記頂部チャンバ２３の上端壁を貫通し、且つ外部に位置し、前記空心ブロック２２にはロープ２５が巻装され、前記ロープ２５と前記頂部チャンバ２３の左端壁とは固定的に連結され、前記空心ブロック２２には円板２４が固定的に設置され、前記空心ブロック２２内には曲面チャンバ２１が設置され、前記曲面チャンバ２１の下端壁にはカウンターウエイトブロック１６が固定的に設置され、前記カウンターウエイトブロック１６の上端面には前記発信器１７が固定的に設置され、前記空心ブロック２２には第一支持棒２０が左右対称に、且つ固定的に設置され、二本の前記第一支持棒２０の上端には前記ソーラーパネル１９が一つ固定的に設置され、前記ソーラーパネル１９と前記発信器１７とは電線１８によって連通されている。
【００１９】
さらに、前記漂浮機構７１について詳しく説明し、前記漂浮機構７１は前記貯液チャンバ４７の上端壁と固定的に連結された移動ばね４８を含み、前記移動ばね４８の下端と前記移動板４６とは固定的に連結され、前記移動板４６の下端面には垂直棒４５が固定的に設置され、前記貯液チャンバ４７の外側端壁には前記空気充填チャンバ２８を連通した排水孔５０が形成され、前記弓面ブロック４４には回転ブロック５３が固定的に設置され、前記空気充填チャンバ２８の内側端壁には妨害ブロック４３が固定的に設置され、前記空気充填チャンバ２８の外側端壁は置きチャンバ５５によって外部と連通し、前記置きチャンバ５５内には前記プラスチック膜５４が装着され、前記置きチャンバ５５の後端壁には短棒５１が固定的に設置され、前記短棒５１にはスイッチ板２７が回転可能に設置され、前記短棒５１と前記スイッチ板２７との間には第一捻りばね５２が設置され、前記スイッチ板２７は前記プラスチック膜５４の外側に位置し、
前記置きチャンバ５５の上端壁内には方形チャンバ３７が設置され、前記方形チャンバ３７の後端壁には中心軸３６が回転可能に設置され、前記中心軸３６には第一リール３８と第二リール３５が固定的に設置され、前記第二リール３５は前記第一リール３８の前側に位置し、前記第一リール３８と前記スイッチ板２７とは第一細線４２によって連結され、前記方形チャンバ３７のうち前記頂部チャンバ２３に近接した端壁内には弾性溝４１が形成され、前記弾性溝４１の開口は前記頂部チャンバ２３に向き、前記弾性溝４１のうち前記頂部チャンバ２３から離れた端壁には弾性ばね４０が固定的に設置され、前記弾性ばね４０のうち前記頂部チャンバ２３に近接した一端には前記弾性溝４１とスライド可能に連結された弾性ブロック２６が固定的に設置され、前記弾性ブロック２６と前記第二リール３５とは第二細線３９によって連結され、前記弾性ブロック２６は前記円板２４の上側に位置する。
【００２０】
好ましくは、前記財物箱１０内には収納チャンバ３０が設置され、前記収納チャンバ３０は財物を収納でき、前記駆動機構７２は前記空気充填チャンバ２８の下端壁内に位置する水流チャンバ１３を含み、前記水流チャンバ１３のうち前記収納チャンバ３０から離れた端壁は排水チャンバ１５によって外部と連通し、前記水流チャンバ１３の下端壁には横向きチャンバ１１が設置され、前記横向きチャンバ１１の下端壁は吸入チャンバ３３によって外部と連通し、前記横向きチャンバ１１の下端壁には上端が前記空気充填チャンバ２８内に位置する長軸１２が回転可能に設置され、前記長軸１２の上端と前記弓面ブロック４４と固定的に連結され、前記水流チャンバ１３内の前記長軸１２にはターボ１４が固定的に設置され、前記横向きチャンバ１１の後端壁には第二支持棒３２が固定的に設置され、前記第二支持棒３２には密封板３４が回転可能に設置され、前記第二支持棒３２と前記密封板３４との間には第二捻りばね３１が設置されている。  
【００２１】
好ましくは、前記カウンターウエイトブロック１６は質量が大きいため、前記定位機構７０の重心は低い。
【００２２】
好ましくは、前記移動ばね４８は圧縮状態にあり、前記弾性ばね４０は正常状態にある。
【００２３】
好ましくは、水流が前記ターボ１４を通り抜ける時に、前記ターボ１４は駆動されて回転する。
【００２４】
装置全体の作動手順は以下の通りである。
【００２５】
（１）海難に遭遇し、船から離脱しようとするが、持ち運べない財物がある時に、財物を収納チャンバ３０内に置き、装置を閉鎖する。
【００２６】
（２）装置を縦向きに海に投げ、水流は密封板３４を衝突し、密封板３４の回転を連動させ、水流が水流チャンバ１３内に入り、ターボ１４を通り抜け、それにより、ターボ１４は駆動されて回転し、長軸１２はターボ１４につれ回転し、さらに弓面ブロック４４の回転を連動させる。
【００２７】
（３）移動ばね４８は下へ復位し、移動板４６を押して降下させ、貯液チャンバ４７内の重炭酸ナトリウム飽和溶液は排水孔５０内から空気充填チャンバ２８内に入り、重炭酸ナトリウム飽和溶液と硫酸バンドブロック２９とが反応し、大量の二酸化炭素を生み、プラスチック膜５４を膨らませ、スイッチ板２７を押して回転させる。
【００２８】
（４）プラスチック膜５４は海中に伸び、装置が受ける浮力を増大させ、装置は上昇し、海面に漂う。
【００２９】
（５）スイッチ板２７が回転し、第一細線４２を引き動かし、第一リール３８を回転連動させ、中心軸３６は第一リール３８につれ回転し、第二リール３５を回転連動させ、第二リール３５は第二細線３９を巻き付き、弾性ブロック２６を引き動かして弾性溝４１内に運動させ、円板２４は弾性ブロック２６の妨害を受けず、空心ブロック２２は浮力によって海面に浮上し、ロープ２５が緩む。
【００３０】
（６）空心ブロック２２の重心のもとで、ソーラーパネル１９は空に向き、日がある時に、ソーラーパネル１９は太陽エネルギーを吸収して、発信器１７に充電し、発信器１７は信号を送られ、持主の捜索に便利である。
【００３１】
以上に本発明の基本原理、主な特徴と本発明の長所を表明し説明した。本業界の従業者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【要約】      （修正有）【課題】本発明は漂浮型汽船用財物安全保障システムを提供する。【解決手段】本発明は漂浮型汽船用財物安全保障システムを開示し、正面視で、財物箱１０を含み、前記財物箱の上端面には上方に開口した頂部チャンバ２３が設置され、前記頂部チャンバ内には定位機構７０が設置され、前記定位機構は発信器１７を含み、前記発信器の上側にはソーラーパネル１９が固定的に装着され、本装置は汽船内に置き、財物を収納でき、汽船が事故に遭い、沈没しそうな時に、もし財物の持ち運びが不便であれば、装置を海に投げれば良いのであり、装置は自動的に浮上し、且つ海面に漂い、装置内にはさらに発信器が設けられ、照明さえあれば自動的に作動し、後期に財物の捜索に便利であり、利用者が被る損失を減らせる。【選択図】図１【図１】
0006723587.tif 000002
【図２】
0006723587.tif 000003
【図３】
0006723587.tif 000004
【図４】
0006723587.tif 000005